(57)【要約】【課題】デザイン上の制約を低減し、かつ、従来よりも少ない部品点数で、霧化装置の蓋部内側へ霧化液が定常的に付着するのを低減できる霧化装置に関する技術を提供する。【解決手段】前記所定の液体を収容する収容部と、前記収容部の下方に設けられ、該収容部に収容される液体に対して振動を与えて該液体を霧化する振動部と、前記収容部の周辺に設けられ、前記振動部によって霧化された霧化液を拡散させる送風部と、前記収容部の上方を覆う蓋部と、前記蓋部の上部に設けられ、前記送風部によって拡散された霧化液を前記霧化装置の外部へ排出する排出部と、前記蓋部の上部内側に設けられる還元部であって、前記霧化装置の外部へ排出されなかった霧化液を集めて、前記収容部へ還元させる還元部と、を備える。【選択図】図８
2011052949.tif 000002
【特許請求の範囲】
【請求項１】
所定の液体を霧化させる霧化装置であって、
前記所定の液体を収容する収容部と、
前記収容部の下方に設けられ、該収容部に収容される液体に対して振動を与えて該液体を霧化する振動部と、
前記収容部の周辺に設けられ、前記振動部によって霧化された霧化液を拡散させる送風部と、
前記収容部の上方を覆う蓋部と、
前記蓋部の上部に設けられ、前記送風部によって拡散された霧化液を前記霧化装置の外部へ排出する排出部と、
前記蓋部の上部内側に設けられる還元部であって、前記霧化装置の外部へ排出されなかった霧化液を集めて、前記収容部へ還元させる還元部と、を備える霧化装置。
【請求項２】
前記還元部は、前記蓋部の上部内側から下方に向けて突出する突出部を有する請求項１に記載の霧化装置。
【請求項３】
前記突出部は、前記蓋部の上部内側から下方に向けて突出する筒状体である請求項２に記載の霧化装置。
【請求項４】
前記突出部は、該突出部の表面に付着する霧化液を下方に導く誘導部であって凹部と凸部とのうち少なくとも何れか一つからなる誘導部を有する請求項２又は３に記載の霧化装置。
【請求項５】
前記突出部は、前記蓋部の上部内側から下方に向けて突出する筒状体であり、
前記筒状体は、その下側端部に波状の凹凸部を複数有する、請求項１に記載の霧化装置。
【請求項６】
収容部に収容される液体の有無を検知する液体検知部であって、振動部の表面に接する液体の有無を検知する液体検知部と、前記液体検知部が収容部に収容される液体がないと検知した場合、前記振動部及び前記送風部の駆動を停止させる制御部と、前記収容部の底部かつ前記振動部の周囲に設けられ、前記振動部への液体の流入を抑制する堤防部と、を更に備える請求項１から５の何れか一に記載の霧化装置。
【発明の詳細な説明】
【技術分野】
【０００１】
本発明は、霧化装置の技術に関する。
【背景技術】
【０００２】
液体を霧化して出力する霧化装置として、加湿機能を有する加湿器や、芳香機能又は加湿機能と芳香機能の両機能を有する電気式芳香器などが知られている。従来の霧化装置として、例えば、毛細管現象によって水を搬送する水搬送部と、水搬送部に水を供給する水供給部と、水に対して電圧を印加する印加電極と、水を霧化させる高電圧印加部とを備える静電霧化装置が開示されている（特許文献１、２を参照）。
【先行技術文献】
【特許文献】
【０００３】
【特許文献１】特開２００７−１８１８３５号公報
【特許文献２】特開２００５−１３１５４９号公報
【特許文献３】特開２００８−２５３３９５号公報
【特許文献４】特開２００８−２８６４８３号公報
【特許文献５】特開２００７−２２２８３８号公報
【特許文献６】特開２００７−２９２４３４号公報
【特許文献７】特開平１１−１９８９９１号公報
【特許文献８】実開平６−５９７１９号公報
【特許文献９】実開平１−１２０９２９号公報
【発明の概要】
【発明が解決しようとする課題】
【０００４】
液体を霧化して出力する霧化装置として、加湿器や、電気式芳香器などが知られている。従来の霧化装置は、例えば液体に振動を与えて液体を霧化させる振動部、霧化された霧化液を霧化装置の外部へ排出する排出部、排出部から霧化液を送り出す送風部を有する。霧化装置の内部で霧化された霧化液は、送風部によって排出部から排出されるが、霧化液の一部は、霧化装置を構成する蓋部の内側面に定常的に付着する。霧化装置では、液体の補充やメンテナンスの際に蓋部が取り外されるが、蓋部を取り外す際の振動などにより、蓋部の内側面に定常的に付着した霧化液が蓋部の内側面から離脱（落下）することがある。これにより、離脱した霧化液によって意図しない場所を濡らしてしまうことがある。
【０００５】
蓋部を取り外す際の霧化液の落下を低減する霧化装置の一例として、図１、図２に記載の技術がある。図１は、従来の霧化装置の斜視図を示し、図２は、従来の霧化装置の分解斜視図を示す。この従来の霧化装置は、水とアロマオイルを振動部の振動によって霧化させることで、アロマ香を発生させ、送風部により拡散させることで排出部からアロマ香を排出させる。より詳細には、従来の霧化装置１００ｘは、本体部１ｘ、収容部２ｘ、振動部、送風部、電源入力部、操作部６ｘ、内側蓋部７ｘ１、外側蓋部７ｘ２を備える。
【０００６】
本体部１ｘは、内部に、振動部、送風部、電源入力部を格納する（図示せず）。振動部は、収容部２ｘの下方に設けられ収容部２ｘに収容される水とアロマオイルとを霧化する。具体的には、振動部は、電源入力部からの電力の供給により液体（水及びアロマオイル）に超音波の振動エネルギーを与え、液体の表面張力を低下させて液体を霧化する。送風部は、収容部２ｘの周辺に設けられ振動部３によって霧化された霧化液を拡散させる。具体的には、送風部は、モータとファンとを有し、電源入力部からの電力の供給によりファンが回転することで、霧化装置１００ｘ内に空気の流れを発生させる。電源入力部は、宅
内電源から電力の供給を受け、振動部及び送風部に電力を供給する。操作部６は、使用者からの操作指示を受け付ける。収容部２ｘは、底部を有する筒状であり水とアロマオイルとを収容する。内側蓋部７ｘ１は、収容部２ｘと接続され、頂部７１ｘと該頂部７１ｘから収容部２ｘに向けて延出する斜面７２ｘと、上部に設けられ霧化液を排出する内側排出部７７ｘ１とを有する。内側蓋部７ｘ１は、収容部２ｘと接続されていることから、液体化して自重により下方へ導かれた霧化液は、収容部２ｘに再度収容され、再び振動部によって霧化される。外側蓋部７ｘ２は、内側蓋部７ｘ１を覆い、内側排出部７７ｘ１に対応する位置には、霧化液を外部へ排出する外側排出部７７ｘ２を有する。外側蓋部７ｘ２の内面と内側蓋部７ｘ１の外面との間には、所定の空隙部が設けられており、この空隙部は、内側排出部７７ｘ１から外部に浮遊した霧化液に対し、前記送風部が発生させた風をあてて、該霧化液を円滑に外側排出部７７ｘ２を通じて霧化装置１００ｘの外に排出させるための空気の流路として機能する。
【０００７】
振動部及び送風部に対して電力が供給されると、収容部２ｘに収容された液体（水及びアロマオイル）が霧化される。霧化された霧化液は、まず内側排出部７７ｘ１を通って内側蓋部７ｘ１の外に浮遊し、送風部によって空隙部の中で拡散され、外側排出部７７ｘ２を通じて霧化装置１００ｘの外部へ排出される。霧化液の一部は、内側蓋部７７ｘ１の内面に付着する。そして、内側蓋部７ｘ１の内面に付着した霧化液の一部は、隣接する霧化液同士が結合して液体化し、側面部７２ｘの内面を伝って、自重により下方へ導かれる。従って、図１、図２に示す従来の霧化装置１００ｘによれば、従来懸念されていた、蓋部を取り外す際の、蓋部の内面に付着した霧化液の離脱（落下）を低減することができる。つまり、離脱した霧化液によって意図しない場所を濡らしてしまうといった事態を抑制することができる。
【０００８】
しかしながら、上記図１、図２に示す従来の霧化装置では、蓋部の形状は、頂部を有する形状、換言すると、円錐形状や多角錐形状とする必要がある。従って、上記図１、図２に示す従来の霧化装置は、デザイン上の制約を受ける。また、上記図１、図２に示す従来の霧化装置は、霧化装置１００ｘ内に空気の流れを発生させるための空気の流路を確保するため、蓋部として、外側蓋部７ｘ２と内側蓋部７ｘ１の二つの部材が必要である。なお、霧化装置の蓋部の形状を頂部を有さない形状とした場合、換言すると、霧化装置の蓋部に天面を設けた場合には、蓋部の点面に霧化液の一部が定常的に付着し、蓋部を取り外す際に付着した霧化液が離脱することが懸念される。
【０００９】
本発明は、上記問題に鑑みてなされたものであり、デザイン上の制約を低減し、かつ、従来よりも少ない部品点数で、霧化装置の蓋部内側へ霧化液が定常的に付着するのを低減できる霧化装置に関する技術を提供することを課題とする。
【課題を解決するための手段】
【００１０】
本発明では、上述した課題を解決するため、霧化された霧化液のうち、霧化装置の上方を覆う蓋部の内側に付着する霧化液であって、霧化装置の外部へ排出されなかった霧化液を集めて、液体を収容する収容部へ還元させる還元部を蓋部の上部内側に設けることとした。
【００１１】
より詳細には、本発明は、所定の液体を霧化させる霧化装置であって、前記所定の液体を収容する収容部と、前記収容部の下方に設けられ、該収容部に収容される液体に対して振動を与えて該液体を霧化する振動部と、前記収容部の周辺に設けられ、前記振動部によって霧化された霧化液に風を与えて拡散させる送風部と、前記収容部の上方を覆い、前記収容部との間で略閉塞状態を形成する蓋部と、前記蓋部の上部に設けられ、前記送風部によって拡散された霧化液を排出する排出部と、前記蓋部の上部内側に設けられる還元部であって、前記霧化装置の外部へ排出されなかった霧化液を集めて、前記収容部へ還元させ
る還元部と、を備える。
【００１２】
本発明によれば、還元部を備えることで、蓋部に対する霧化液の定常的な付着を低減し、蓋部を取り外す際の霧化液の離脱（落下）を抑制することができる。その結果、離脱した霧化液によって意図しない場所を濡らすといった事態を低減できる。また、蓋部は、収容部の上方を覆うことができればよく、その形状は特に限定されないため、蓋部には、天面を有する形状を採用することが可能となる。つまり、本発明は、蓋部の形状が頂部を有する形状、換言すると、円錐形状や多角錐形状に特定する必要がなく、デザイン上の制約を受けることもない。更に、蓋部を一部品によって構成することができ、部品点数を削減することができる。
【００１３】
本発明に係る霧化装置は、加湿器や芳香器として用いることができる。霧化装置を、例えば、加湿器として用いる場合、収容部は、所定の液体として水を収容する。また、霧化装置を、例えば芳香器として用いる場合、収容部は、所定の液体として水と芳香液（例えば、アロマオイル）を収容する。
【００１４】
振動部は、収容部の下方に設けられ、収容部に収容される所定の液体を霧化する。換言すると、振動部は、所定の液体に対して振動エネルギーを与え、液体の表面張力を低下させて霧化する。送風部は、収容部の周辺に設けられ、霧化された霧化液を拡散させ、霧化液を霧化装置の外部へ送り出す。なお、本発明は、振動部や送風部を駆動させるための電力の供給を受け付ける電力入力部や、振動部や送風部を駆動させるための電力を供給する駆動源を更に備える構成としてもよい。また、本発明は、使用者からの操作指示を受け付ける操作部を更に備える構成としてもよい。
【００１５】
蓋部は、少なくとも収容部の上方を覆い、収容部との間で略閉塞空間を形成する。換言すると、蓋部は、収容部と接続され、内側に閉ざされた空間を形成する。この空間には、振動部によって霧化され、かつ、送風部によって拡散された霧化液が存在する。蓋部の内側に存在する霧化液は、送風部が発生させた風力によって蓋部の上部に設けられた排出部から排出される。なお、蓋部の形状は、収容部の上部を覆う形状であればよく、天板部と側板部を有する形状を採用することができる。また、蓋部の形状には、天板部を有さない形状、つまり、頂部と頂部から延出する側面を有する形状、例えば、円錐形状や多角錐形状を採用することもできる。
【００１６】
還元部は、蓋部の上部内側に設けられ、霧化装置の外部へ排出されなかった霧化液を集めて収容部へ還元させる。
【００１７】
ここで、還元部は、蓋部の上部内側から下方に向けて突出する突出部を有する構成とすることができる。突出部は、例えば、筒状体とすることができる。蓋部の上部内側に筒状体を設けることで、蓋部の上部内側と筒状体との接続部に隅部が形成される。隅部付近では、付着した霧化液を構成する液体の単体同士が引き合いやすくなるため、表面張力の効果が高められる。隅部付近における液体の単体同士が互いに引き合うことでその質量が大きくなった液体は、その後、筒状体の表面を伝って下方へ導かれる。つまり、蓋部の上部内側に付着した霧化液同士が結合し、結合することで質量が大きくなった液体が自重によって下方に位置する収容部に再度収容される。なお、突出部は、一又は複数の棒状の突出、一又は複数の板状の突出でもよい。また、突出部は、これらを組み合わせたものでもよい。
【００１８】
また、本発明において、前記突出部は、該突出部の表面に付着する霧化液を下方に導く誘導部であって凹部と凸部とのうち少なくとも何れか一つからなる誘導部を有する構成としてもよい。突出部の形状に変化（凹部や凸部）を持たせることで、霧化液を構成する液
体の単体同士が引き合いやすくなり、表面張力の効果が高められ、より効率よく霧化液を下方に導くことが可能となる。
【００１９】
例えば、誘導部の一例として、筒状体の下側端部に設けられた波状の凹凸部が例示される。この波状の凹凸部は、異なる深さの凹部や凸部を複数組み合わせて構成することができる。なお、誘導部は、突出部の表面に設けられ、下方に向けて形成された一又は複数の、線状の凹部や線状の凸部としてもよい。
【００２０】
ここで、本発明は、前記収容部に収容される液体の有無を検知する液体検知部と、前記液体検知部が収容部に収容される液体がないと検知した場合、前記振動部及び前記送風部の駆動を停止させる制御部と、を更に備える構成とすることができる。これにより、収容部に収容される液体がなくなった場合、振動部や送風部の駆動が自動的に停止される。換言すると、霧化装置の空運転を回避することができる。
【００２１】
上記のように液体検知部や制御部を備えることで、振動部や送風部の駆動を自動的に停止させることができる。但し、液体検知部や制御部を備える構成では、以下のことが想定される。すなわち、収容部内には既に液体を霧化して霧化装置の外部へ排出するほどの量の液体が存在していないにもかかわらず、収容部内に残存する僅かな量の液体を液体検知部が検知し、液体が霧化されることなく振動部や送風部の駆動が継続されてしまうことが想定される。
【００２２】
収容部内の液体が極少量にもかかわらず、振動部や送風部の駆動が継続されてしまうといった問題を解決するため、本発明は以下の態様を採用してもよい。すなわち、本発明は、所定の液体を霧化させる霧化装置であって、前記所定の液体を収容する収容部と、前記収容部の下方に設けられ、該収容部に収容される液体に対して振動を与えて該液体を霧化する振動部と、前記収容部の周辺に設けられ、前記振動部によって霧化された霧化液を拡散させて前記霧化装置の外部へ送り出す送風部と、前記収容部の上方を覆う蓋部と、前記蓋部の上部に設けられ、前記送風部によって拡散された霧化液を排出する排出部と、前記収容部に収容される液体の有無を検知する液体検知部であって、前記振動部の表面に接する所定の液体の有無を検知する液体検知部と、前記液体検知部が前記収容部に収容される所定の液体がないと検知した場合、前記振動部及び前記送風部の駆動を停止させる制御部と、前記収容部の底部かつ前記振動部の周囲に設けられ、前記振動部への液体の流入を抑制する堤防部を備える。
【００２３】
堤防部を備えることで振動部への液体の流入を抑制することができる。その結果、収容部内の液体が残り少なくなった場合、換言すると、収容部内の液体の高さ（水位）が堤防部の高さを下回る程度の液体の量となった場合、振動部への液体の流入が断たれる。従って、液体検知部は、収容部に収容される液体がないと検知し、制御部は、振動部の振動を停止させる。その結果、霧化装置の空運転を回避することができる。
【００２４】
堤防部は、先に説明した還元部を備える霧化装置にも好適に用いることができる。具体的には、本発明は、所定の液体を霧化させる霧化装置であって、前記所定の液体を収容する収容部と、前記収容部の下方に設けられ、該収容部に収容される液体に対して振動を与えて該液体を霧化する振動部と、前記収容部の周辺に設けられ、前記振動部によって霧化された霧化液を拡散させて前記霧化装置の外部へ送り出す送風部と、前記収容部の上方を覆う蓋部と、前記蓋部の上部に設けられ、前記送風部によって拡散された霧化液を排出する排出部と、前記蓋部の上部内側に設けられる還元部であって、前記霧化装置の外部へ排出されなかった霧化液を集めて、前記収容部へ還元させる還元部と、前記収容部に収容される所定の液体の有無を検知する液体検知部であって、前記振動部の表面に接する所定の液体の有無を検知する液体検知部と、前記液体検知部が前記収容部に収容される所定の液
体がないと検知した場合、前記振動部及び前記送風部の駆動を停止させる制御部と、前記収容部の底部かつ振動部の周囲に設けられ、前記振動部への液体の流入を抑制する堤防部を備える。
【００２５】
ここで、収容部へ還元される霧化液が少なくなった場合、収容部内には既に液体を霧化して霧化装置の外部へ排出するほどの液体が存在していないにもかかわらず、収容部内に残存する僅かな液体を液体検知部が検知し、振動部の振動が継続されてしまうことが起こりうる。そこで、堤防部は、還元部によって還元される霧化液の落下位置と振動部の外周沿いの位置との間に設けてもよい。換言すると、堤防部は、還元部によって還元される霧化液の落下位置よりも振動部側に設けてもよい。これにより、収容部内に残存する液体の振動部への流入が堤防部によって堰き止められる。その結果、還元部から還元される僅かな霧化液によって振動部の振動が継続されるといった事態を回避することができる。堤防部は、例えば、振動部の周囲に設けられるリング状の突起として構成することができる。また、還元部を蓋部の上部内側から下方に設けて突出する筒状体とする場合、筒状体の径は、リング状の突起からなる堤防部の径よりも大きくすることができる。これにより、筒状体からなる還元部から落下する水滴が防波堤の外側に落下することになる。従って、堤防部により振動部への液体の流入が抑制される。
【発明の効果】
【００２６】
以上説明した本発明に係る綴じ具によれば、デザイン上の制約を低減し、かつ、従来よりも少ない部品点数で、霧化装置の蓋部の内側への霧化液が定常的に付着するのを低減できる霧化装置に関する技術を提供することが可能となる。
【図面の簡単な説明】
【００２７】
【図１】従来の霧化装置の斜視図を示す。
【図２】従来の霧化装置の分解斜視図を示す。
【図３Ａ】第一実施形態に係る霧化装置の外観斜視図を示す。
【図３Ｂ】第一実施形態に係る霧化装置の機能ブロック図を示す。
【図４】第一実施形態に係る霧化装置の上方からの分解斜視図を示す。
【図５】第一実施形態に係る霧化装置の下方からの分解斜視図を示す。
【図６】第一実施形態に係る還元部の拡大斜視図を示す。
【図７】第一実施形態に係る筒状体を伝う水滴の様子を示す。
【図８】第一実施形態に係る霧化装置における空気の流れと霧化液の様子を示す。
【図９】第二実施形態に係る霧化装置の断面図を示す。
【図１０】第二実施形態に係る霧化装置の収容部の底面の平面図を示す。
【図１１】第三実施形態に係る霧化装置の機能ブロック図を示す。
【図１２】変形例に係る還元部の下面図を示す。
【発明を実施するための形態】
【００２８】
次に、本発明に係る霧化装置の実施形態について図面に基づいて説明する。以下の説明では、本発明に係る霧化装置を電気式芳香器に適用した場合を例に説明する。実施形態に係る霧化装置（電気式芳香器）は、何れも、水とアロマオイルを振動部によって霧化させることで、アロマ香を発生させ、送風部により拡散させることで排出部からアロマ香を排出する。
【００２９】
[第一実施形態]
（構成）
図３Ａは、第一実施形態に係る霧化装置１００の外観斜視図を示す。図３Ｂは、第一実施形態に係る霧化装置１００の機能ブロック図を示す。また、図４は、第一実施形態に係る霧化装置の上方からの分解斜視図を示し、図５は、第一実施形態に係る霧化装置の下方
からの分解斜視図を示す。
【００３０】
第一実施形態に係る霧化装置１００は、本体部１、収容部２、振動部３、送風部４、電源入力部５、操作部６、制御部６１、液体検知部６２、蓋部７、還元部８を備える。実施形態に係る霧化装置１００は、全体として長方体である。
【００３１】
本体部１は、箱部１０と、箱部１０の前面側に接続された縦長状の前面部１１とを有する。以下の説明では、前面部１１側を前面側、反対方向を背面側と称する。箱部１０内には、上から順に振動部３、送風部４が格納され、振動部３や送風部４以外のスペースを利用して制御部６１を構成する回路基板や配線などが格納されている。箱部１０の底面には、送付部４が空気を取り込む格子状の空気取り入れ部１３ａ、宅内電源から電力の供給を受ける電力入力部５が設けられている。なお、振動部３の上方には、収容部２が設けられている。
【００３２】
前面部１１の上部には、使用者からの指示を受け付ける操作部６が設けられている。本実施形態では、操作部６は、押しボタン式のＯＮ／ＯＦＦスイッチによって構成されている。操作部６は、制御部６１を介して振動部２や送風部４と電気的に接続されている。また、前面部１１の内部には、箱部１０内に格納される送風部４からの風力を蓋部７の内側へ送り込むための連通路１９（図８参照）が設けられている。すなわち、前面部１１の背面側の下部と上部には、下側開口部１９ａ及び上側開口部１９ｂが設けられており、箱部１０内の送風部４による風が連通路１９を介して蓋部７内へ送り込まれる。
【００３３】
振動部３は、収容部２の下方に設けられ、収容部２に収容される液体（本実施形態では、水とアロマオイル）を霧化する。具体的には、振動部３は、電源入力部５からの電力の供給により液体（水及びアロマオイル）に超音波の振動エネルギーを与え、液体の表面張力を低下させて霧化する。振動部３には、液体に振動エネルギーを与えることで霧化させることが可能な既存の振動子を用いることができる。振動子は、例えば、円柱状とすることができる。第一実施形態では、収容部の底面２１に円形の開口部２１ａが設けられ、振動部３の上面が露出している（図８参照）。
【００３４】
液体検知部６２は、収容部２に収容される液体の有無を検知する。第一実施形態に係る霧化装置１００では、液体検知部６２は振動部３に設けられ、振動部３の振動インピーダンスを検知する。すなわち、振動部３の表面に接する液体の量によって変化する振動子の振動インピーダンスを検知する。
【００３５】
制御部６１は、ＣＰＵ（中央演算処理装置）や記憶装置を有し、液体検知部６２が収容部２に収容される液体がないと検知した場合、振動部３の振動を停止させる。また、制御部６１は、液体検知部６２が収容部２に収容される液体がないと検知した場合、送風部４の送風を停止させる。例えば、制御部６１は、ＣＰＵが記憶装置に予め記憶されている振動インピーダンスの閾値を読み出し、液体検知部６２で検知される振動インピーダンスと比較し、液体検知部６２で検知される振動インピーダンスが閾値を下回っている場合、液体がないと判断するようにしてもよい。これにより、収容部２に収容される液体がなくなった場合、振動部３の振動及び送風部４の送風が自動的に停止される。
【００３６】
送風部４は、収容部２の下方であって、振動部３の更に下方に設けられ、振動部３によって霧化された霧化液を拡散させる。具体的には、送風部４は、モータ及びファンを有し、電源入力部５からの電力の供給によりファンが回転することで、霧化装置１００内に、霧化液を外部に効率よく排出させる為の空気の流れを発生させる。
【００３７】
電源入力部５は、宅内電源から電力が入力され、振動部３及び送風部４に電力を供給す
る。なお、電源入力部５に代えて、または、電源入力部５と共に、駆動充填式バッテリや電池といった駆動源を用いてもよい。
【００３８】
収容部２は、液体（水及びアロマオイル）を収容する。収容部２は、本体部１の箱部１０の上方、より詳細には、振動部３の直上に設けられている。収容部２は、長方形の収容部の底面２１と収容部の底面２１の幅方向の端部に接続された対向する収容部の側板２２ａ、２２ｂと、底面２１の背面側の端部に接続された収容部の背板２３を有する。蓋部７を本体部１に取り付けた際に、収容部の側板２２ａ、２２ｂが蓋部７の内側に収まるよう、収容部の側板２２ａ、２２ｂは、箱部の側板１１ａ、１１ｂよりも内側に設けられている。収容部の底面２１には、円形の開口部２１ａが設けられ、振動部３の上面が露出している。また、収容部の底面２１は、箱部の天板を兼ねている。また、収容部の前面側の壁は、前面部の背板１５によって構成されている。
【００３９】
蓋部７は、収容部２の上方を覆う。より詳細には、蓋部７は、互いに平行な二枚の蓋部の側板７１ａ、７１ｂ、蓋部の背板７２、蓋部の天板７３を有する。蓋部の天板７３は、本体部１を構成する箱部の底面１３と凡そ同じ形状かつ大きさを有している。蓋部の天板７３の幅方向の端部から垂下する二枚の蓋部の側板７１ａ、７１ｂは、収容部２及び箱部１０を覆うように前面部１１の高さと同じ長さを有している。また、蓋部の天板７３の背面側の端部から垂下する蓋部の背板７２も、収容部２及び箱部１０を覆うように前面部１１の高さと同じ長さを有している。なお、蓋部の側板７１ａ、７１ｂの前面側の端辺部７１ａ２、７１ｂ２には、その端部に沿って内側に突出した係合部７５が設けられている。この係合部７５が、本体部１の前面部の背板１５の側部に設けられた溝状の被係合部１４と係合することで、蓋部７と本体部１との係合状態が維持される。
【００４０】
還元部８は、蓋部の天板７３の内側に設けられ、霧化装置１００の外部へ排出されなかった霧化液を集めて、収容部２へ還元させる。ここで、図６は、実施形態に係る還元部８の拡大斜視図を示す。実施形態に係る還元部８は、筒状体９と、筒状体９の周囲に設けられた囲い体８０を有する。筒状体９は、円筒状であり、蓋部の天板７３の内側から下方に向けて突出しており、その下端に、径方向に隣接する波状の凹凸部（本発明の誘導部に相当する。）を有する。波状の凹凸部は、大凹部９１と小凹部９２とを有する。大凹部９１は、小凹部９２よりも大きく逆Ｕ字状に切り欠かれている。小凹部９２は、大凹部９１よりも小さく半円状に切り欠かれている。本実施形態では、大凹部９１が径方向において等間隔で四つ設けられ、各大凹部９１の間には、二つの小凹部９２が設けられている。
【００４１】
上記のように蓋部の天板７３の内側に筒状体９を設けることで、蓋部の天板７３と筒状体９との接続部分に隅部Ｐ（図７を参照）が形成される。隅部Ｐ付近では、付着した霧化液を構成する液体の単体同士が引き合いやすくなるため、表面張力の効果が高められる。隅部Ｐ付近において互いに引き合うことでその質量や径が大きくなった液体は、その後、筒状体９の表面を伝って下方へ導かれる。つまり、蓋部の天板７３の内側に付着した霧化液同士が結合し、結合することで質量や径が大きくなった液体が自重によって下方に位置する収容部２に再度収容される。
【００４２】
また、実施形態に係る霧化装置１００では、筒状体９の下側端部に波状の凹凸部が設けられており、筒状体９の形状に更に変化が与えられている。従って、大凹部９１や小凹部９２の付近、特に大凹部９１や小凹部９２の縁部では、霧化液を構成する液体の単体同士が引き合いやすくなり、つまり表面張力の効果が高められ、より効率よく霧化液を下方に導かれる（図７における矢印は、霧化液の流れを示す。）。すなわち、大凹部９１や小凹部９２が液体を誘導路として機能する。
【００４３】
筒状体９の周囲に設けられた囲い体８０は、筒状体９の周囲を囲むように四枚の囲い体
の側板８１、８２、８３ａ、８３ｂを有する。囲い体の側板８２、８３ａ、８３ｂは、蓋部の側板７１ａ、７１ｂ及び蓋部の背板７２よりも内側に配置され、さらに体の側板８１は端辺部７１ａ２、７１ｂ２よりも内側に配置されるよう蓋部の天板７３に接続されている。囲い体の側板８３ａ、８３ｂ、８２の下端は、収容部の側板２２ａ、２２ｂ、２３の上端と夫々接触する。また、前面側の囲い体の側板８１の外側面は、前面部１１の背面１５の外側面と接する。すなわち、収容部の側板２２ａ、２２ｂ、２３及び収容部の底面２１と、前面部１１の背面１５と、囲い体の側板８１、８２、８３ａ、８３ｂと、蓋部の天板７３によって、霧化された霧化液が存在する空間（本発明の密閉空間に相当する）が形成される。囲い体の側板８１、８２、８３ａ、８３ｂのうち、前面側の囲い体の側板８１には、囲い体８０の内側と外側とを連通させる前面側連通部８４が設けられている。この前面側連通部８４は、前面側の囲い体の側板８１を内側に突出させ、突出した部分の下部側面を開口させることで形成されている。すなわち、第一実施形態では、前面側連通部８４が二箇所設けられている。なお、前面側連通部８４は、前面側の囲い体の側板８１を内側に突出させ、突出した部分の下端を開口させることで形成してもよい。また、囲い体の側板８１、８２、８３ａ、８３ｂのうち、背面側の囲い体の側板８２にも、囲い体８０の内側と外側とを連通させる背面側連通部８５が設けられている。背面側連通部８５は、背面側の囲い体の側板８２を内側に突出させ、突出した部分の下端を開口させることで形成されている。また、第一実施形態では、突出した部分の背が丸く湾曲しており、背面側連通部８５の断面形状がＤ字形状である。なお、蓋部７における背面側連通部８５の近傍には、霧化液を霧化装置１００の外部へ排出する排出部７７が設けられている。上記のように、対向する前面側の囲い体の側板８１と背面側の囲い体の側板８２の夫々に、囲い体８０の内側と外側とを連通させる連通部（８４、８５）を設けることで、送風部４を作動させた際、効率よく空気が流れる（図８を参照）。つまり、拡散された霧化液が、空気の流れに沿って流れることで効率よく排出部７７から外部へ排出されることになる。また、図１及び図２に示す従来の霧化装置と異なり、蓋部を二部品で構成する必要も無い。換言すると、実施形態に係る霧化装置１００によれば、蓋部の部品点数を削減することができる。
【００４４】
（使用方法）
次に、上述した実施形態に係る霧化装置１００の使用方法について説明する。まず、蓋部７を取り外した状態で、収容部２に所定量の水及びアロマオイルが入れられる。その後、蓋部７を本体部１に係合させ、操作部６を構成するスイッチがＯＮにされる。スイッチがＯＮになると、振動部３が振動を開始し、収容部２に収容されている水とアロマオイルが徐々に霧化される。一方で、振動部３の下方に設けられた送風部が送風を開始し、霧化された霧化液が拡散されるとともに、送風部４による空気の流れに沿って霧化液が流れることで、霧化液が排出部７７を通じて効率よく外部へ排出される。
【００４５】
ここで、霧化された霧化液の一部は、排出部７７から排出されずに蓋部の天板７３の内側等に付着する。実施形態に係る霧化装置１００では、蓋部の天板７３の内側に還元部８が設けられていることから、蓋部の天板７３に付着した霧化液が筒状体９で集められ、集められた霧化液が互いに結合することで筒状体９を伝って下方へ落下する。筒状体９の下方、すなわち、還元部８の下方には、収容部２が設けられていることから、落下した結合した霧化液（結合することで径が大きくなった霧化液）は、収容部２に還元された後、振動部３によって再度霧化される。収容部２内の液体がなくなり、液体検知部６２がこれを検知すると、制御部６１によって、振動部３及び送風部４の駆動が停止される。また、必要に応じて、スイッチがＯＦＦにされ、振動部３及び送風部４の駆動が停止される。
【００４６】
（作用効果）
以上説明した実施形態に係る霧化装置１００によれば、還元部８を備えることで、蓋部７に対する霧化液の定常的な付着が低減され、蓋部７を取り外す際の霧化液の離脱（落下
）を抑制することができる。その結果、離脱した霧化液によって意図しない場所を濡らすといった事態を低減することができる。また、蓋部７には、天面（天板）を有する形状を採用することが可能となる。つまり、実施形態に係る霧化装置１００では、蓋部７の形状は頂部を有する形状、換言すると、円錐形状や多角錐形状に特定する必要がなく、デザイン上の制約を受けることもない。更に、蓋部７を一部品によって構成することができ、部品点数が削減される。
【００４７】
[第二実施形態]
次に第二実施形態に係る霧化装置１０１について説明する。なお、第一実施形態に係る霧化装置１００と同様の構成については、同一符号を付すものとし、その詳細な説明は省略する。以下では、第一実施形態に係る霧化装置１００との相違点を主に説明する。
【００４８】
ここで、図９は、第二実施形態に係る霧化装置の断面図を示す。図１０は、第二実施形態に係る霧化装置１０１の収容部の底面２１の平面図を示す。第二実施形態に係る霧化装置１０１は、第一実施形態に係る霧化装置１００の構成に加えて、収容部の底面２１に堤防部２５を更に備える。なお、第二実施形態に係る霧化装置１０１では、開口部２１ａの縁が振動部３に向けて傾斜しており、収容部３に残存する液体を効率よく振動部３へ導けるよう構成されている。
【００４９】
堤防部２５は、収容部２に収容される残存する液体が、開口部２１ａを介して振動部３へ流入するのを抑制する。第二実施形態に係る堤防部２５は、リング状であり、収容部の底面２１よりも上方に向けて突出している。堤防部２５の高さは、収容部の底面２１上に残存する水滴が乗り越えられない程度の高さとすることができる。
【００５０】
開口部２１ａ及び堤防部２５の中心は、振動部３の中心軸上にある。そして、堤防部２５の径は、開口部２１ａの径よりも大きく形成され、堤防部２５は、開口部２１ａの外側に存在する。また、筒状体９の中心も振動部３の中心軸上にある。筒状体９の径は、堤防部２５の径よりも更に大きく形成されている。その結果、筒状体９で集められ、筒状体９を伝って落下する霧化液の落下地点が、堤防部２５の外側に存在する。従って、筒状体９から落下する霧化液の振動部３への流入が堤防部２５によって抑制可能となる。
【００５１】
以上説明した第二実施形態に係る霧化装置１０１によれば、上述した第一実施形態に係る霧化装置１００の作用効果に加えて、収容部２内の液体が極少量の場合における霧化装置１０１の空運転を防止することができる。すなわち、収容部２内の液体が極少量となり、液体を霧化して霧化装置１０１の外部へ排出するほどの量の液体が存在しない場合、堤防部２５によって、振動部３への液体の流入が抑制される。その結果、液体が振動部３の表面に接触することが回避され、液体検知部６２で検知される振動インピーダンスが液体がない場合の値となる。つまり、液体検知部６２は、液体がないと検知する。制御部６１は、この検知結果に基づいて、振動部３及び送風部４の駆動を停止させる。以上により、収容部２内の液体が極少量の場合における霧化装置の空運転を防止することが可能となる。
【００５２】
[第三実施形態]
次に第三実施形態に係る霧化装置１０２について説明する。第三実施形態に係る霧化装置１０２は、還元部を有しない構成に第二実施形態で説明した堤防部２５を採用するものである。図１１は、第三実施形態に係る霧化装置１０２の機能ブロック図を示す。
【００５３】
第三実施形態に係る霧化装置１０２は、第一実施形態に係る霧化装置１００や第二実施形態に係る霧化装置１０１と共通の構成として、本体部１、収容部２ａ、振動部３、送風部４、電源入力部５、操作部６、制御部６１、液体検知部６２、を備える。但し、第三実
施形態に係る霧化装置１０２は、その外観が異なるものであり、また、蓋部７が、外側蓋部７８ａと内側蓋部７８ｂの２部品からなる。このような第三実施形態に係る霧化装置１０２は、換言すると、図１、図２における従来の霧化装置１００ｘの構成を採用すると共に、収容部の底面２１ａに堤防部２５を有する構成である。
【００５４】
以下、第一実施形態に係る霧化装置１００や第二実施形態に係る霧化装置１０１との相違点について説明すると、収容部２ａは、筒状である。なお、収容部の底面には、第一実施形態に係る霧化装置１００や第二実施形態に係る霧化装置１０１と同じく、円形の開口部２１ａが設けられており、振動部３の表面が露出している。内側蓋部７８ｂは、収容部２ａと接続され、頂部７８ｂ１と該頂部７８ｂ１から収容部２ａに向けて延出する斜面７８ｂ２と、上部に設けられた霧化液を排出する内側排出部７８ｂ３とを有する。内側蓋部７８ｂは、収容部２ａと接続されていることから、液体化して自重により下方へ導かれた霧化液は、収容部２ａに再度収容され、再び振動部３によって霧化される。外側蓋部７８ａは、内側蓋部７８ｂを覆い、内側排出部７８ｂ３に対応する位置には、霧化液を外部へ排出する外側排出部７８ａ３を有する。外側蓋部７８ａの内面と内側蓋部７８ｂの外面との間には、所定の空隙部が設けられており、この空隙部は、内側排出部７８ｂ３から外部に浮遊した霧化液に対し、前記送風部が発生させた風をあてて、該霧化液を円滑に外側排出部７８ａ３を通じて霧化装置１０２の外に排出させるための空気の流路として機能する。
【００５５】
液体化して自重により下方へ導かれた霧化液は、収容部２ａに再度収容されるが、収容部の底面２１ａには、堤防部２５が設けられていることから、液体が極少量になった場合には、液体の振動部３への流入が抑制される。このように本発明に係る堤防部は、還元部を有さない霧化装置にも好適に用いることができる。
【００５６】
[変形例]
ここで、図１２は変形例１に係る還元部の下面図を示す。変形例１に係る還元部８は、第一実施形態に係る還元部８と同じく筒状体９を有する。但し、変形例１に係る筒状体９は、その内側面の内側に突出し、かつ、下方に向けて延出する線状凸部９５が複数設けられている。これにより、線状凸部９５と筒状体９の内側面との接続部分に形成される隅部において、霧化液を構成する液体の単体同士が引き合いやすくなり、表面張力の効果が高められ、より効率よく霧化液が下方に導かれる。なお、変形例１に係る還元部８の筒状体９は、実施例に係る筒状体９と同じく下端部に波状の凹凸部（大凹部９１、小凹部９２）を有する。但し、例えば、筒状体９の下端部に波状の凹凸部を設けず、筒状体９の内側面に線状凸部のみを設けるようにしてもよい。
【００５７】
他の変形例として、霧化装置１００は、還元部８を波状の凹凸部や還元部８と蓋部７との接続部分にＲ形状からなるＲ部を設けてもよい。これにより、Ｒ部において、霧化液を構成する液体の単体同士が更に引き合いやすくなり、つまり表面張力の効果がより高められ、更に効率よく霧化液を下方に導くことが可能となる。
【００５８】
以上、本発明の好適な実施形態を説明したが、本発明に係る霧化装置はこれらに限らず、可能な限りこれらの組合せを含むことができる。本実施形態では、電気式芳香器を例に説明したが、本発明に係る蓋部と誘導部は、霧化された霧化液が付着する種々の蓋部に適用することができる。
【符号の説明】
【００５９】
１・・・本体部
２・・・収容部
３・・・振動部
４・・・送風部
５・・・電力入力部
６・・・操作部
７・・・蓋部
８・・・還元部
９・・・筒状体
２５・・・堤防部
８０・・・囲い体
９１・・・大凹部
９２・・・小凹部
【図１】
2011052949.tif 000003
【図２】
2011052949.tif 000004
【図３Ａ】
2011052949.tif 000005
【図３Ｂ】
2011052949.tif 000006
【図４】
2011052949.tif 000007
【図５】
2011052949.tif 000008
【図６】
2011052949.tif 000009
【図７】
2011052949.tif 000010
【図８】
2011052949.tif 000011
【図９】
2011052949.tif 000012
【図１０】
2011052949.tif 000013
【図１１】
2011052949.tif 000014
【図１２】
2011052949.tif 000015